(57)【特許請求の範囲】
【請求項１】
長さ方向の根元側が水位制御を可能にする水位検出器と接続され先端の側が貯められている水をウイックで吸い上げられるように設けられたウイック用水保有容器において、
前記長さ方向に存在し前記水面制御の基準になる境界面と、該境界面の下に狭い幅を持つ形状に形成され該形状を含む状態で前記水位検出器に接続された溝状部と、前記境界面の上に前記先端の側の前記ウイックの入れられる部分を除いて閉鎖された空間を形成可能で前記狭い幅より広い幅を持つ形状に形成され該形状を含む状態で前記水位検出器に接続された広幅溝状部と、を有し、前記長さ方向が所定角度傾斜したときに前記先端に水面が残るように形成されていることを特徴とするウイック用水保有容器。
【請求項２】
長さ方向の根元側が水位制御を可能にする水位検出器と接続され先端の側が貯められている水をウイックで吸い上げられるように設けられた環境試験装置のウイック用水保有容器において、
前記長さ方向に存在し前記水面制御の基準になる境界面と、該境界面の下に狭い幅を持つ形状に形成され該形状を含む状態で前記水位検出器に接続された溝状部と、前記境界面の上に前記先端の側の前記ウイックの入れられる部分を除いて閉鎖された空間を形成可能で前記狭い幅より広い幅を持つ形状に形成され該形状を含む状態で前記水位検出器に接続された広幅溝状部と、を有し、前記長さ方向が所定角度傾斜したときに前記先端に水面が残るように形成され、前記環境試験装置の試験室の底の部分に壁面から離れた位置まで延設されていることを特徴とするウイック用水保有容器。
【発明の詳細な説明】
【０００１】
【発明の属する技術分野】
本発明は、長さ方向の根元側が水位制御を可能にする水位検出器と接続され先端の側が貯められている水をウイックで吸い上げられるように設けられたウイック用水保有容器に関し、特に環境試験装置に好都合に適用される。
【０００２】
【従来の技術】
従来のウイックパンアームは、一般に円筒形になっていて、その根元側が固定されると共に水位検出器に接続されている。そして、全体の高さが低いために、アームが前上がり又は前下がりに傾斜すると、ウイックが浸漬される先端部分で水が切れたり溢れたりするおそれがあるため、ウイックパンアームの装着されている環境試験装置等の使用時の状態に対応して水位センサの位置を細かく調整していた。又、水が溢れるようなときには、ウイックパンの先端から水位検出器までの空間の先端側部分が水で塞がれて、ウイックパンと水位検出器との導通が遮断され均圧化が図れなくなるため、水位検出器に均圧管を設けてこれをウイックパンの先端のある試験室内まで導設するようにしていた。
【０００３】
しかしながら、このような装置では、水位調整が余分な作業になると共に、均圧管が余分な構成部品になって装置コストがそれだけ高くなるという問題があった。特にウイックパンアームが長い場合には、このような問題の発生が避けられなかった。
【０００４】
一方、このような問題を解決するべく、ウイック給水槽を縦長で底の傾斜した形状にし、これと水位検知タンクとの間で水及び空気をそれぞれ分離して通過させるように上下の連結パイプで結合した構造の湿球温度検出装置を備えた恒温恒湿器が提案されている（特開平８−１０８０７９号公報参照）。
【０００５】
しかしながら、このような装置では、ウイックパンアームの構造が複雑であること、環境試験装置の断熱壁等のウイックパンアームの貫通部分が二箇所に分離されるためシールが難しくなり、試験室内部の気密性を低下させる原因になること、水平面断面積が上下方向に一定であるため、水面変動幅を縮小したり水補給時の補給水温度の影響を緩和できる効果がないこと、等の問題がある。
【０００６】
【発明が解決しようとする課題】
本発明は従来技術における上記問題を解決し、簡単な構造で低コストで製造でき、水位検出器の細かな位置調整が不要で、均圧が確保され水位変動幅の緩和と補給水の温度の影響の軽減の可能なウイック用水保有容器を提供することを課題とする。
【０００７】
【課題を解決するための手段】
本発明は上記課題を解決するために、請求項１の発明は、長さ方向の根元側が水位制御を可能にする水位検出器と接続され先端の側が貯められている水をウイックで吸い上げられるように設けられたウイック用水保有容器において、
前記長さ方向に存在し前記水面制御の基準になる境界面と、該境界面の下に狭い幅を持つ形状に形成され該形状を含む状態で前記水位検出器に接続された溝状部と、前記境界面の上に前記先端の側の前記ウイックの入れられる部分を除いて閉鎖された空間を形成可能で前記狭い幅より広い幅を持つ形状に形成され該形状を含む状態で前記水位検出器に接続された広幅溝状部と、を有し、前記長さ方向が所定角度傾斜したときに前記先端に水面が残るように形成されていることを特徴とする。
【０００８】
請求項２の発明は、長さ方向の根元側が水位制御を可能にする水位検出器と接続され先端の側が貯められている水をウイックで吸い上げられるように設けられた環境試験装置のウイック用水保有容器において、
前記長さ方向に存在し前記水面制御の基準になる境界面と、該境界面の下に狭い幅を持つ形状に形成され該形状を含む状態で前記水位検出器に接続された溝状部と、前記境界面の上に前記先端の側の前記ウイックの入れられる部分を除いて閉鎖された空間を形成可能で前記狭い幅より広い幅を持つ形状に形成され該形状を含む状態で前記水位検出器に接続された広幅溝状部と、を有し、前記長さ方向が所定角度傾斜したときに前記先端に水面が残るように形成され、前記環境試験装置の試験室の底の部分に壁面から離れた位置まで延設されていることを特徴とする。
【０００９】
【発明の実施の形態】
図１及び図２は本発明を適用したウイック用水保有容器であるウイックパンアーム及びこれを水位検出器に装着した状態を示す。
ウイックパンアーム１は、その長さ方向であるＬ方向の根元側である取付用リング１１が水位制御を可能にする水位検出器２と接続され先端１２の側が貯められている水をウイック３で吸い上げられるように設けられていて、境界面１３、図において斜線で示した溝状部１４、その上の広幅溝状部１５、等を有する。なお本例では、取付用リング１１と水位検出器２とは、取付用リング１１に嵌め込まれる中間リング４で結合されている。符号５はウイックパンアーム１及び水位検出器２の装着板である。
【００１０】
水位検出器２は、ウイックパンアーム１の溝状部１４及び広幅溝状部１５がそのまま導通するように形成されていて、容器２１、蓋２２、これに固定されたキャップ２３、これに支持されたガイドロッド２４、これに挿入されている水位検出用のフロート２５、水注入口２６、等で構成されている。ウイック３は、保護筒の内部に熱電対が挿入され測定位置まで導設される湿球温度センサ３１に被せられている。
【００１１】
境界面１３は、ウイックパンアーム１の長さＹ方向に存在し、水面制御の基準になる。即ち、後述するように、水位検出器２のフロート２５が、この位置を１つの水位基準にして、これから下又は上に水位が昇降したときに、その昇降位置を検出する。
【００１２】
溝状部１４は、境界面１３の下に水を保有可能な狭い幅Ｂ１  に形成されている。即ち、仮に長さ方向Ｌが、Ｙ軸とＸ軸とで形成するＸＹ平面が図１（ｃ）及び（ｄ）のように水平面になるときのＹ方向である場合には、境界面１３が水平面になり、最大水位時には溝状部１４が満水になり、そのように水を保有可能な構造になっている。
【００１３】
この溝状部１４は、狭い幅Ｂ１  を持つ形状を含む状態で水位検出器２に接続されている。即ち、本例では、図２（ａ）乃至（ｃ）に示す如く、溝状部１４を持つウイックパンアーム１の後端１６が、これより断面積が広がっていて溝状部１４部分の形状を含みこれより大きい形状で円形断面の取付用リング１１及び中間リング４を介して水位検出器２に接続されている。なお、本例では実際の装置の配置の関係で中間リング４を４５°エルボ状にしているが、同図（ｄ）及び（ｅ）に示す如く、通常の配置では直管状継手が用いられる。又、取付用リング１１及び中間リング４を省略して、ウイックパンアーム１をその形状自体で直接水位検出器２に取り付けることも可能である。
【００１４】
広幅溝状部１５は、境界面１３の上に先端１２の側のウイック３の入れられる部分である切欠部１５ａを除いて閉鎖された空間を形成可能で且つ前記狭い幅Ｂ１  より広い幅である広幅Ｂ２  に形成されている。即ち、後述するようにウイックパンアーム１の傾斜や水面制御の方法等により、広幅溝状部１５の一部分に水が入ることもあるが、それより上方には空間が形成され、溝状部１４と同様に、広幅Ｂ２  を含む状態で取付用リング１１及び中間リング４を介して水位検出器２に接続されている。即ち、上記と同様に、少なくとも広幅溝状部１５の断面形状を含み本例ではこれより広い断面となって水位検出器２に導通するように形成されている。
【００１５】
図３は、本発明を適用したウイックパンアームを用いた湿度センサを装備した環境試験装置の概略構成の一例を示す。
本例の環境試験装置６では、ウイックパンアーム１が試験室６１の底６２の部分である溝状堀り込み部６２ａに壁面６３から離れた位置まで延設されている。皿状の容器を備えた加湿器６４もウイックパンアーム１と同レベルに配置されている。又、本例ではポンプ圧送式になっている水回路を構成する貯水容器６５、ワンタッチ着脱の可能な継手６６、補給水用の水位センサ容器６７、この水を吸入・吐出するポンプ６８、これから水位検出器２の水注入口２６に接続された管系６９、等が設けられている。本例では管系６９は加湿器６４にも接続されていて、水位検出器２によって加湿皿６４にもウイックパンアーム１と同レベルまで同時に水が補給されるようになっている。
【００１６】
この環境試験装置６は小形の簡単な構造のものであり、その他の一般的構造部分として、空調室７０、これらの間で空調された空気を循環させる送風機７１、これを回転駆動するモータ７１ａ、加熱器７２、冷凍機の蒸発器からなる冷却器７３、冷凍機の圧縮機７４、凝縮器７５、その冷却ファン７６、試験室及び空調室を囲う断熱壁７７及び扉７８、装置の支持構造体７９、等を備えている。本体部分の上は操作表示部８０になっている。符号８１は温度センサである。
【００１７】
図４は、図２と共にウイックパン１及び水位検出器２の姿勢及び水面の状態を示す。
本例のウイックパンアーム１は、装着位置Ｐから長さ寸法Ｌａ＝３００ｍｍ程度の長さの長いものであり、長さ方向Ｌが水平面を構成するＹ方向から所定角度θとして例えばθ＝１°傾斜したときには、先端１２の上がり下がりの高さｈｕ及びｈｄはほぼπ／０．６＝５．２ｍｍ上下するので、溝状部１４及び広幅溝状部１５の高さ寸法ｈをそれぞれ１２ｍｍ程度にすれば、先端１２の上下の余裕高さｈａは約６．８ｍｍになり、水補給時に水面ＦがΔＨ＝３ｍｍ上下に変動したとしても、先端１２の上下に水面Ｆが３．８ｍｍ程度残るように形成される。即ち、上又は下方向に水面が変動しても、先端１２の上下端から４ｍｍ程度の余裕を持って水が残り、水のオーバーフローや空間閉鎖によるウイックパンアーム１と水位検出器２との均圧阻止及びウイックへの水切れを確実に防止することができる。
【００１８】
なお、環境試験装置６の設置場所、又は可搬式になっているときの使用場所等により、１°以上の傾斜が予想されるときには、それに対応できるように予めｈ及びＬａの何れか又は双方を定めておけばよい。
【００１９】
以上のようなウイックパンアーム及びこれを装備した環境試験装置は次のように運転されてその作用効果を発揮する。
環境試験装置６では、冷凍機用機器、送風機７１、加熱器７２、加湿器６４、等が運転され、温度センサ８１及び湿球温度センサ３１によって試験室６１内の温度及び湿度が検出され、送風機７１で循環される空気が目的とする温度及び湿度に制御され、試験室６１に入れられた試料Ｗがそのような環境条件の下で試験される。
【００２０】
環境試験装置６が運転されると、ウイックパン１及び加湿器６４の水が蒸発し、その水蒸気が循環空気に含まれて試験室内の壁面や試料に結露したり換気によって持ち出されて消失し、水の継続した蒸発によってウイックパン１及び加湿器６４の水位が一定以下に下がると、水位検出器２が作動してポンプ６８が運転され、貯水容器６５から水位センサ容器６７を介して水がポンプ６８で吸い上げられて揚水され、ウイックパン１及び加湿器６４に水が補給され、その水位が回復する。なお、本例の水回路では、水位センサ容器６７に水保有部分があり、これから継手６６で貯水容器６５を切り離して水注入ができるようになっている。
【００２１】
ウイックパンアーム１の水位は前記のように水位検出器２によるポンプ６８の発停によって自動的に制御されるが、その制御方法としては、基準水位を定めて、水位がそれから下限又は上限まで一定の範囲に調整されるようにポンプ６８を自動発停させたり、ポンプ６８を電磁ポンプやその他の容積式ポンプのように、多少の圧力変動があってもほぼ一定の吐出量を持つポンプとし、基準水位でポンプを起動し目的とする水位又は水補給量になるだけの時間運転するように制御する方法、又この場合に、環境試験装置６の運転される湿度条件に対応してポンプの運転時間も制御する方法、等の種々の方法がある。更に、ポンプ圧送式でなく、重力式の水補給方法もある。本発明のウイックパンアーム１は、このような水面制御の何れに対しても有効なものである。
【００２２】
図５及び図６は、ウイックパンアーム１の水位変動の状態を示す。なお、この図では、水位変動の状態を分かりやすくするために、実際のものよりも、ウイックパンアーム１を大幅に太く且つ短くすると共に、傾斜角や水位変動幅を大きく表している。
【００２３】
このうち図５では、同図（ａ）に示す如く、基準水位Ｈｏを、境界面１３がＸＹ水平面であるときの境界面１３と同じレベルとし、これから下にΔＨ１  だけ下がった水位をＨ１  とし、Ｈ１  でポンプ６８を起動しＨｏでポンプを停止させ、水面がＨｏとＨ１  の間で維持されるようにしている。このときの水面変動は、矢印で示すように全て溝状部１４内で起こるので、広幅溝状部１５は直接的には作用しないが、水位検出器２にその内部の水位を安定させるための均圧差圧を良好に伝達する機能を発揮する。
【００２４】
図５（ｂ）は、ウイックパンアーム１の先端１２が下向きに傾斜して使用される状態を示す。このときには、境界面１３が傾斜して基準水位Ｈｏの下に形成される。ここで説明を分かりやすくするために、図示の如くΔＨ１  が境界面１３の傾斜分と同じで広幅溝状部１５の溝幅Ｂ２  が溝状部１４の溝幅Ｂ１  の２倍であるとすれば、Ｈ１  からＨｏまで水が補給されたときには、（ａ）のときの補給量をｑとすれば、（ａ）と同様に境界面１３の下で幅Ｂ１  の溝状部１４からなるＡ部分の補給量がｑ／２、その上の境界面１３の上で幅Ｂ２  の広幅溝状部１５からなるＢ部分の補給量がｑとなり、合計補給量が１．５ｑになり、（ａ）のときよりも多くなる。
【００２５】
そしてこの場合、環境試験装置６で例えば５℃程度の低温運転がされているとすれば、例えば２０℃程度の常温に近い水が補給されると、対流が生じて水が表面に浮き上がり、この水量が多くなると、それだけウイック３の測定温度への影響が大きくなるようにも考えられる。しかしながら、補給水量が１．５倍になっても、水の表面は広幅溝状部１５内にあって２倍になっているため、ウイック３が直接吸い上げる水である表面水の温度に対する補給水の影響はむしろ少なくなる。
【００２６】
従って、ウイックパンアーム１が下に傾斜しているときには、広幅溝状部１５の拡大した溝幅が特に有効に作用する。そして、根元側から先端側に片持ち支持状に延設されているウイックパンアーム１では、どちらかと言えばこのように前下がりの傾斜になることが多い。
【００２７】
図５（ｃ）のように先端１２が上傾斜しているときには、Ｈ１  からＨｏまでの水補給は全て溝状部１４の中で起こるので、そのときの作用は（ａ）の場合と同様になる。
【００２８】
図６は、基準水位Ｈｏを図５における低水位Ｈ１  に相当する水位とし、この水位になると、これから上にΔＨ２  だけ高くなるＨ２  まで水補給する水位制御の場合を示す。そのうち図６（ａ）は、図５（ａ）と同様に境界面１３が水平になっていて基準水位Ｈｏと一致した状態を示す。このときには、水補給されるΔＨ２  部分は全て広幅溝状部１５になる。
【００２９】
従って、同じ補給水量ｑに対して、ΔＨ２  を図５（ａ）のΔＨ１  の１／２にすることができる。従って、基準水位に対する補給水量を同じ比率に維持すれば、従来の装置よりも水面変動を半減させることができる。その結果、同じ高さ方向寸法のウイックパンアーム１を使用したとすれば、傾斜角を大きく許容できて使用に便利になる。又、同じ傾斜角で使用する場合には、ウイックパンアーム１を小形化することができる。
【００３０】
一方、水位Ｈｏで水が補給されたときには、この水の温度が保有水の温度より高く対流が生じる場合でも、従来の装置よりも表面積が２倍に拡大されているので、表面温度に対する影響が緩和される。
【００３１】
図６（ｂ）は、図５（ｂ）に対応する図で、ウイックパンアーム１の先端１２が下方傾斜した状態を示すが、この図では、基準水位Ｈｏから上方のＨ２  までは、常に広幅溝状部１５の水面が上昇することになる。その結果、上記図６（ａ）の水平状態のときと同じ作用効果が生ずる。一方、この場合には、水面が上昇するとオーバーフローレベルに近くなるが、水面変動が小さく押さえられるので、水がオーバーフローすることがないと共に、広幅溝状部１５内の水面上に空間部が確保され、これと導通している水位検出器２とウイックパンアーム１との均圧が確実に達成される。
【００３２】
同図（ｃ）はウイックパンアーム１の先端１２が上に傾斜した状態を示す。このときには、（ａ）及び（ｂ）と同じＨ２  まで水補給するとすれば、この間には、溝状部１４の部分Ａ及び広幅溝状部１５の部分Ｂがそれぞれ３／４及び１／４存在するので、水の補給量は５／８ｑになる。このときには、水の補給回数が多くなるが、実用上問題はなく、必要に応じてＨ２  を少しだけ高くすることになる。一方、Ｈｏが最低水面になるので、ウイックに供給する水の水位がそれ以上低下しないため、ウイックには確実に水を供給することができる。
【００３３】
図６について、以上では高水位Ｈ２  を定めてポンプ６８を発停させる場合について説明したが、これに代えて、基準水位Ｈｏから一定時間ポンプ６８を作動させ、それに対応した一定水量を補給するようにしてもよい。その場合には、ウイックパンアーム１の傾斜がどうなっているかに係わらず、補給水量が一定で安定した運転状態を維持できると共に、ウイックへの水供給及び水位検出器２の均圧化を確保することができる。
【００３４】
以上のようなウイックパンアーム１によれば、上記の如く水位変動が小さくなるため、使用場所によってウイックパンアームが傾斜する場合であっても、水位検出器の位置調整が不要になり、ウイック水及び均圧空間を確保でき、又、ウイックへの水温変化の影響が改善される作用効果が得られると共に、従来の装置のように水部分と空間部分とを別々の管にして断熱壁を通過させて水位検出器に連結させることなく、幅広で均圧管と給水管とが一体されていて長さＬ方向に一様なそのままの形状で水位検出器２に連結させるので、ゴミが溜まったり水側に気泡が溜まる等により空気や水の導通性が悪くなって均圧性が阻害されたり補給水の流動性が低下するような不具合を確実に防止することができ、更に湿球温度検出装置としての構造が簡単になり、ウイックパンアームを小形化でき、近接した２箇所をシールするという難しいシール構造が不要になり、装置内部の気密性を確保できる等の総合的作用効果を得ることができる。
【００３５】
又、水位変動を小幅に抑制できるので、ウイックパンアーム１を長くして、試験室６１における湿度制御すべき場所に近づけることができる。そしてこの場合、ウイックパンアーム１を試験室６１の床位置に装備しているので、これを長くしても、従来のようにウイックパンアーム１の外面に付着した結露水が試料Ｗの上に滴下するような不具合が発生しない。即ち、ウイックパンアーム１が溝状部１４と広幅溝状部１５とを持つ構成と長さを長くする構成と試験室内の床部分への配置との組合せにより、上記結露水の問題を解消して湿度制御の改善を図ることができる。
【００３６】
なお、以上ではポンプ圧送式の水回路の場合について説明したが、重力供給式の水回路であっても同様の作用効果を得ることができる。
【００３７】
【発明の効果】
以上の如く本発明によれば、請求項１の発明においては、長さ方向の根元側が水位制御を可能にする水位検出器と接続され先端の側が貯められている水をウイックで吸い上げられるように設けられたウイック用水保有容器を、長さ方向に存在し水面制御の基準になる境界面の下に水を保有可能な狭い幅の溝状部と、同じ境界面の上に先端の側のウイックの入れられる部分を除いて閉鎖された空間を形成可能で狭い幅より広い幅になっている広幅溝状部とを設けた構造にするので、境界面を基準として水面制御をするときに、水補給時の水面を広幅溝状部の中でも昇降させることができ、水面変動幅を小さくすることができる。
【００３８】
その結果、ウイック用水保有容器が傾斜しても、水位検出器を細かく調整することなく、容器の上部を空間部として確保することができる。
【００３９】
又、溝状部及び広幅溝状部をその形状を含む状態、即ち、その形状自体で、又はそれより大きい形状の中間的部材を介して、水位検出器に接続するので、幅広部分を含み均圧管と給水管とが一体された状態で、広い空間が確保されてそのまま水位検出器と導通する。その結果、従来の独立均圧管構造の装置やウイックパンアームと水位検出器間の上下パイプ連結式の装置におけるゴミ詰まり等による均圧性や水の流動性低下のような不具合を確実に防止し、確実にウイック用水保有容器と水位検出器との間の均圧化を図ることができる。
【００４０】
又、先端側の水位をそれ程低下させず、ウイックに供給すべき水を確保することができる。更に、貯められた水よりも補給水の温度が高く、対流によって温度の高くなった水が上昇する場合でも、広幅溝状部では表面積が大きくなっているため、表面に対する温度の影響が緩和され、湿球温度の測定精度を維持することができる。
【００４１】
更に、以上のような水位変動やウイックへの水温変化の影響を緩和させると共に、広幅溝状部で空間が確保されることにより、ウイック用水保有容器と水位検出器とをそのまま接続させて両者の均圧を図ることができるので、従来の装置のような均圧管が不要になり、又、別々の管が断熱壁を通過するような複雑な構造にする必要がない。その結果、湿球温度検出装置としての構造を小形・簡素化し、複雑なシール構造を不要にし、装置内部の気密性を確保するという総合的な作用効果を得ることができる。
【００４２】
請求項２の発明においては、以上のような構成及び作用効果を持つウイック用水保有容器を、溝状部と広幅溝状部との組合せによる傾斜時の均圧及び水保有効果の向上の下に横方向に長く形成し、環境試験装置の試験室の底の部分に壁面から離れた位置まで延設されるようにするので、結露水が試料にかかるような不具合を解消すると共に、湿度検出位置を改善して湿度制御の改善を図ることができる。
【図面の簡単な説明】
【図１】本発明を適用したウイックパンアームの構造例を示し、（ａ）は平面図、（ｂ）は正面図、（ｃ）はＡ−Ａ線断面図、（ｄ）は（ｂ）の図を右側から見た側面図である。
【図２】上記ウイックパンアームを水位検出器に装着した状態を示し、（ａ）は正面図、（ｂ）乃至（ｅ）は接続部分の導通状態を示す説明図である。
【図３】上記ウイックパンアームを装備した環境試験装置の説明図で、（ａ）及び（ｂ）はそれぞれ一部断面を含む側面状態及び平面状態を示す。
【図４】（ａ）及び（ｂ）は上記ウイックパンアームが傾斜した状態を示す側面図である。
【図５】（ａ）乃至（ｃ）は上記ウイックパンアームの作用の説明図である。
【図６】（ａ）乃至（ｃ）は上記ウイックパンアームの作用の説明図である。
【符号の説明】
１            ウイックパンアーム（ウイック用水保有容器）
２            水位検出器
３            ウイック
６            環境試験装置
１１          取付用リング（根元側）
１２          先端
１３          境界面
１４          溝状部
１５          広幅溝状部
６１          試験室
６２          底
６２ａ        溝状堀り込み部（底の部分）
６３          壁面
Ｂ１            狭い幅
Ｂ２            広幅（広い幅）
Ｌ            長さ方向
θ            所定角度
【図１】
0003560945.tif 000002
【図２】
0003560945.tif 000003
【図３】
0003560945.tif 000004
【図４】
0003560945.tif 000005
【図５】
0003560945.tif 000006
【図６】
0003560945.tif 000007